(57)【要約】【課題】  キャビネットのコード取付部に亀裂などの損傷が生じないようにする。【解決手段】  ブラウン管を収納するキャビネット２のボトム部２Ｃに一体形成したコード取付部３が該ボトム部２Ｃの下面２ａより下方に突出され、該コード取付部３の上面に形成した収納凹部１３の後端開口部１３ｂがボトム部２Ｃの後端面に開口されると共に、該収納凹部１３の前端開口部１３ｃがボトム部２Ｃに前後方向ａ，ｂに沿って形成したコード案内部１４に連通され、ＡＣコード４の中央適所に嵌着させたストッパ１０が前記収納凹部１３に嵌入され、該ＡＣコード４の先端が前記コード案内部１４を通ってキャビネット２内の制御基板に接続されており、そのＡＣコード４から制御基板を介してブラウン管に通電するようにしたものであって、前記コード取付部３の両外側面３ｂ，３ｃとボトム部２Ｃの下面２ａとの間に補強リブ１６が一体形成されている。【選択図】        図２
2008300706.tif 000002
【特許請求の範囲】
【請求項１】
機器本体を収納するキャビネットのボトム部に一体形成したコード取付部が該ボトム部
の下面より下方に突出され、該コード取付部の上面に形成した収納凹部の後端開口部がボ
トム部の後端面に開口されると共に、該収納凹部の前端開口部がボトム部に前後方向に沿
って形成したコード案内部に連通され、ＡＣコードの中央適所に嵌着させたストッパが前
記収納凹部に嵌入され、該ＡＣコードの先端が前記コード案内部を通ってキャビネット内
の制御基板に接続されており、そのＡＣコードから制御基板を介して機器本体に通電する
ようにした電子機器のＡＣコード取付装置において、前記コード取付部の両外側面とボト
ム部の下面との間に補強リブが一体形成されていることを特徴とする電子機器のＡＣコー
ド取付装置。
【請求項２】
前記コード取付部の下面前端からボトム部の下面にかけて一体形成されて前記コード案
内部の下面から両側面を取り囲む案内枠が設けられていることを特徴とする請求項１に記
載の電子機器のＡＣコード取付装置。
【請求項３】
前記各補強リブの端面及び案内枠の下面が上向き外広がり状に傾斜されていることを特
徴とする請求項２に記載の電子機器のＡＣコード取付装置。
【請求項４】
機器本体を収納するキャビネットのボトム部に一体形成したコード取付部が該ボトム部
の下面より下方に突出され、該コード取付部の上面に形成した収納凹部の後端開口部がボ
トム部の後端面に開口されると共に、該収納凹部の前端開口部がボトム部に前後方向に沿
って形成したコード案内部に連通され、ＡＣコードの中央適所に嵌着させたストッパが前
記収納凹部に嵌入され、該ＡＣコードの先端が前記コード案内部を通ってキャビネット内
の制御基板に接続されており、そのＡＣコードから制御基板を介して機器本体に通電する
ようにした電子機器のＡＣコード取付装置において、前記コード取付部の両外側面とボト
ム部の下面との間に補強リブが一体形成され、前記コード取付部の下面前端からボトム部
の下面にかけて一体形成されて前記コード案内部の下面から両側面を取り囲む案内枠が設
けられ、前記各補強リブの端面及び案内枠の下面が上向き外広がり状に傾斜されているこ
とを特徴とする電子機器のＡＣコード取付装置。
【発明の詳細な説明】
【技術分野】
【０００１】
本発明は、例えばＣＲＴ式テレビ受像機、液晶テレビ受像機などの薄型表示装置、ＤＶ
Ｄレコーダ、ＤＶＤプレーヤなどの電子機器のＡＣコード取付装置に関し、特に、キャビ
ネットのコード取付部に亀裂などの損傷が生じないようにしたものである。
【背景技術】
【０００２】
従来、電子機器の一例として図５〜図９に示すものがある。これはＣＲＴ式テレビ受像
機であって、図５は同側面図、図６（ａ）は同要部の下面側斜視図、図６（ｂ）は同要部
の縦断面図、図６（ｃ）は同下面図、図６（ｄ）はＢ−Ｂ矢視図、図７は同要部の上面側
斜視図、図８は同要部の亀裂発生状態を示す説明図、図９（ａ）及び（ｂ）は同要部の障
害物衝突状態の説明図である。
【０００３】
図５に示すように、ブラウン管（機器本体）１を収納する合成樹脂製キャビネット２が
フロント部２Ａ、リア部２Ｂ及びボトム部２Ｃからなり、該ボトム部２Ｃに一体形成した
コード取付部３が該ボトム部２Ｃの下面２ａより下方に所定間隔ｈだけ突出され、そのコ
ード取付部３に取り付けたＡＣコード４の先端がキャビネット２内のプリント配線基板か
らなる制御基板５に接続され、そのＡＣコード４の後端のプラグ７がソケット８に接続さ
れている。なお、９はキャビネット２を載置する載置台である。
【０００４】
上記構成において、ＡＣコード４から制御基板５を介してブラウン管１に通電すること
により、映像を表示する。
【０００５】
図６及び図７に示すように、前記コード取付部３に対向して、前記ＡＣコード４の中央
適所に一対の四角形状鍔部１０ａ，１０ｂを有するストッパ１０が嵌着され、該両鍔部１
０ａ，１０ｂ間に環状溝１１が形成されている。
【０００６】
図６及び図７に示すように、前記コード取付部３の上面にストッパ１０を収納するため
の収納凹部１３が形成され、該収納凹部１３の底面中央から両側面中央にかけて環状溝１
１に嵌入可能な略Ｕ字状突条１３ａが一体突設されている。
【０００７】
図６及び図７に示すように、収納凹部１３の後端開口部１３ｂがボトム部２Ｃの後端面
２ｂに開口されると共に、該収納凹部１３の前端開口部１３ｃがボトム部２Ｃに前後方向
ａ，ｂに沿って貫設した長孔状コード案内部１４に連通されている。なお、関連する技術
として特許文献１に記載したものがある。
【特許文献１】実開昭６３−１１００７９号公報
【発明の開示】
【発明が解決しようとする課題】
【０００８】
上記従来の構成では、図５に示すように、載置台９上のキャビネット２を持ち上げて移
動させようとした場合に、ＡＣコード４のプラグ７がソケット８に接続されていると、そ
のＡＣコード４が引っ張られてコード取付部３に強く押し付けられることになり、その結
果、図８に示すように、コード取付部３の後端開口部１３ｂに過大な押付力Ｆがかかって
、ボトム部２Ｃとコード取付部３との間の境目に亀裂Ｋが発生し、その過大な押付力Ｆが
繰り返しかかることにより、亀裂Ｋが進行してコード取付部３が斜め下向きに傾き、その
コード取付部３からＡＣコード４が脱落するおそれがある。
【０００９】
また、コード取付部３がボトム部２Ｃから下方に突出しているため、図９（ａ）に示す
ように、障害物Ｍにコード取付部３の前端面３ａが衝突したり、図９（ｂ）に示すように
、障害物Ｍにコード取付部３の両外側面３ｂ，３ｃが衝突して、そのコード取付部３が損
傷されるおそれがある。
【００１０】
本発明は、上記従来の欠点に鑑み、キャビネットのコード取付部に亀裂などの損傷が生
じないようにした電子機器のＡＣコード取付装置を提供することを目的としている。
【課題を解決するための手段】
【００１１】
上記目的を達成するため、請求項１に記載の発明は、機器本体を収納するキャビネット
のボトム部に一体形成したコード取付部が該ボトム部の下面より下方に突出され、該コー
ド取付部の上面に形成した収納凹部の後端開口部がボトム部の後端面に開口されると共に
、該収納凹部の前端開口部がボトム部に前後方向に沿って形成したコード案内部に連通さ
れ、ＡＣコードの中央適所に嵌着させたストッパが前記収納凹部に嵌入され、該ＡＣコー
ドの先端が前記コード案内部を通ってキャビネット内の制御基板に接続されており、その
ＡＣコードから制御基板を介して機器本体に通電するようにした電子機器のＡＣコード取
付装置において、前記コード取付部の両外側面とボトム部の下面との間に補強リブが一体
形成されていることを特徴としている。
【００１２】
請求項２に記載の発明は、請求項１に記載の発明において、前記コード取付部の下面前
端からボトム部の下面にかけて一体形成されて前記コード案内部の下面から両側面を取り
囲む案内枠が設けられていることを特徴としている。
【００１３】
請求項３に記載の発明は、請求項２に記載の発明において、前記各補強リブの端面及び
案内枠の下面が上向き外広がり状に傾斜されていることを特徴としている。
【００１４】
請求項４に記載の発明は、機器本体を収納するキャビネットのボトム部に一体形成した
コード取付部が該ボトム部の下面より下方に突出され、該コード取付部の上面に形成した
収納凹部の後端開口部がボトム部の後端面に開口されると共に、該収納凹部の前端開口部
がボトム部に前後方向に沿って形成したコード案内部に連通され、ＡＣコードの中央適所
に嵌着させたストッパが前記収納凹部に嵌入され、該ＡＣコードの先端が前記コード案内
部を通ってキャビネット内の制御基板に接続されており、そのＡＣコードから制御基板を
介して機器本体に通電するようにした電子機器のＡＣコード取付装置において、前記コー
ド取付部の両外側面とボトム部の下面との間に補強リブが一体形成され、前記コード取付
部の下面前端からボトム部の下面にかけて一体形成されて前記コード案内部の下面から両
側面を取り囲む案内枠が設けられ、前記各補強リブの端面及び案内枠の下面が上向き外広
がり状に傾斜されていることを特徴としている。
【発明の効果】
【００１５】
請求項１に記載の発明によれば、コード取付部の両外側面とボトム部の下面との間に補
強リブが一体形成されており、例えばキャビネットを持ち上げて移動させようとした場合
に、ＡＣコードが引っ張られてコード取付部に強く押し付けられることにより、該コード
取付部の後端開口部に過大な押付力がかかり、ボトム部とコード取付部との間の境目に亀
裂が生じたとしても、その亀裂の進行が補強リブで止められるので、従来のように亀裂が
進行してコード取付部からＡＣコードが脱落することがなく、そのコード取付部にＡＣコ
ードを長期にわたって確実に取り付けることができる。
【００１６】
請求項２に記載の発明によれば、コード案内部の下面から両側面を取り囲む案内枠がボ
トム部に一体形成されているので、該案内枠に沿ってＡＣコードの先端をコード取付部か
ら制御基板に向けて所望通りに延ばすことができると共に、その案内枠によりコード取付
部を一層確実に補強することができる。
【００１７】
請求項３に記載の発明によれば、障害物にコード取付部の前端面や両外側面が接近する
と、各補強リブの端面及び案内枠の下面が障害物に当たって衝撃を緩和するので、従来の
ように障害物にコード取付部の前端面や両外側面が衝突して該コード取付部が損傷される
のを確実に防ぐことができる。
【００１８】
請求項４に記載の発明は実施の一形態（図１〜図４参照）に対応するものであって、こ
れによれば、コード取付部の両外側面とボトム部の下面との間に補強リブが一体形成され
ており、例えばキャビネットを持ち上げて移動させようとした場合に、ＡＣコードが引っ
張られてコード取付部に強く押し付けられることにより、該コード取付部の後端開口部に
過大な押付力がかかり、ボトム部とコード取付部との間の境目に亀裂が生じたとしても、
その亀裂の進行が補強リブで止められるので、従来のように亀裂が進行してコード取付部
からＡＣコードが脱落することがなく、そのコード取付部にＡＣコードを長期にわたって
確実に取り付けることができる。
【００１９】
また、コード案内部の下面から両側面を取り囲む案内枠がボトム部に一体形成されてい
るので、該案内枠に沿ってＡＣコードの先端をコード取付部から制御基板に向けて所望通
りに延ばすことができると共に、その案内枠によりコード取付部を一層確実に補強するこ
とができる。
【００２０】
更に、障害物にコード取付部の前端面や両外側面が接近すると、各補強リブの端面及び
案内枠の下面が障害物に当たって衝撃を緩和するので、従来のように障害物にコード取付
部の前端面や両外側面が衝突して該コード取付部が損傷されるのを確実に防ぐことができ
る。
【発明を実施するための最良の形態】
【００２１】
図１〜図４は本発明の実施の一形態である電子機器のＡＣコード取付装置を示すもので
あり、これはＣＲＴ式テレビ受像機であって、図１は同側面図、図２（ａ）は同要部の下
面側斜視図、図２（ｂ）は同要部の縦断面図、図２（ｃ）は同下面図、図２（ｄ）はＡ−
Ａ矢視図、図３は同要部の上面側斜視図、図４（ａ）及び（ｂ）は同要部の障害物衝突状
態の説明図である。以下、本発明の構成で図５〜図９に示す構成と同一部分に同一符号を
付し、その相違点だけを説明する。
【００２２】
図２及び図３に示すように、コード取付部３の両外側面３ｂ，３ｃとボトム部２Ｃの下
面２ａとの間で前後方向ａ，ｂに所定間隔をおいて複数（この実施の形態では４つ）の補
強リブ１６が一体形成されている。
【００２３】
上記構成によれば、例えばキャビネット２を持ち上げて移動させようとした場合に、Ａ
Ｃコード４が引っ張られてコード取付部３に強く押し付けられることにより、該コード取
付部３の後端開口部１３ｂに過大な押付力Ｆ（図３参照）がかかり、ボトム部２Ｃとコー
ド取付部３との間の境目に亀裂Ｋ（図８参照）が生じたとしても、その亀裂Ｋの進行が補
強リブ１６で止められるので、従来のように亀裂Ｋが進行してコード取付部３からＡＣコ
ード４が脱落することがなく、そのコード取付部３にＡＣコード４を長期にわたって確実
に取り付けることができる。
【００２４】
図２及び図３に示すように、コード案内部１４の下面前端からボトム部２Ｃの下面２ａ
にかけて一体形成されてコード案内部１４の下面から両側面を取り囲む横断面略Ｕ字状案
内枠１７が設けられている。
【００２５】
上記構成によれば、案内枠１７に沿ってＡＣコード４の先端をコード取付部３から制御
基板５に向けて所望通りに延ばすことができると共に、その案内枠１７でコード取付部３
を一層確実に補強することができる。
【００２６】
図２に示すように、各補強リブ１６が三角形状に形成されてその端面１６ａが上向き外
広がり状に傾斜され、また、案内枠１７の下面１７ａも前後方向ａ，ｂに沿って上向き外
広がり状に傾斜されている。
【００２７】
上記構成によれば、図４（ａ）に示すように、障害物Ｍにコード取付部３の前端面３ａ
が接近すると、案内枠１７の下面１７ａが障害物Ｍに当たって衝撃を緩和し、また、図４
（ｂ）に示すように、障害物Ｍにコード取付部３の両外側面３ｂ，３ｃが接近すると、補
強リブ１６の端面１６ａが障害物Ｍに当たって衝撃を緩和するようになっており、これに
よれば、従来のように障害物Ｍにコード取付部３の前端面３ａや両外側面３ｂ，３ｃが衝
突して該コード取付部３が損傷されるのを確実に防ぐことができる。
【産業上の利用可能性】
【００２８】
上記の実施の形態では、ＣＲＴ式テレビ受像機を例にあげて説明したが、これに限定さ
れるわけはなく、例えば液晶テレビ受像機などの薄型表示装置、ＤＶＤレコーダ、ＤＶＤ
プレーヤなどの各種電子機器のＡＣコード取付装置にも適用される。
【図面の簡単な説明】
【００２９】
【図１】本発明の実施の一形態である電子機器のＡＣコード取付装置を示す側面図である。
【図２】（ａ）は同要部の下面側斜視図、（ｂ）は同要部の縦断面図、（ｃ）は同下面図、（ｄ）はＡ−Ａ矢視図である。
【図３】同要部の上面側斜視図である。
【図４】（ａ）及び（ｂ）は同要部の障害物衝突状態の説明図である。
【図５】従来例を示す側面図である。
【図６】（ａ）は同要部の下面側斜視図、（ｂ）は同要部の縦断面図、（ｃ）は同下面図、（ｄ）はＢ−Ｂ矢視図である。
【図７】同要部の上面側斜視図である。
【図８】同要部の亀裂発生状態を示す説明図である。
【図９】（ａ）及び（ｂ）は同要部の障害物衝突状態の説明図である。
【符号の説明】
【００３０】
１          ブラウン管（機器本体）
２          キャビネット
２Ｃ        キャビネットのボトム部
２ａ        ボトム部の下面
２ｂ        ボトム部の後端面
３          コード取付部
３ａ        コード取付部の前端面
３ｂ，３ｃ  コード取付部の外側面
４          ＡＣコード
５          制御基板
１０        ストッパ
１３        コード取付部の収納凹部
１３ｂ      後端開口部
１３ｃ      前端開口部
１４        コード案内部
１６        補強リブ
１６ａ      補強リブの端面
１７        案内枠
１７ａ      案内枠の下面
【図１】
2008300706.tif 000003
【図２】
2008300706.tif 000004
【図３】
2008300706.tif 000005
【図４】
2008300706.tif 000006
【図５】
2008300706.tif 000007
【図６】
2008300706.tif 000008
【図７】
2008300706.tif 000009
【図８】
2008300706.tif 000010
【図９】
2008300706.tif 000011